(57)【要約】【課題】本来は画像とフォーマットが異なる音声情報を静止画用の１つのファイルとして扱うこと。【解決手段】画像ファイル生成装置１は、音声信号に対応させた図を生成する作図手段２１と、生成された図に基づいて静止画像を生成する画像生成手段１５と、複数の静止画像を１つのファイルで扱うフォーマットのファイルを生成するファイル生成手段１５と、生成された静止画像をファイルに含めるようにファイル生成手段１５を制御する制御手段１５とを備える。【選択図】図１
2010252148.tif 000002
【特許請求の範囲】
【請求項１】
音声信号に対応させた図を生成する作図手段と、
前記生成された図に基づいて静止画像を生成する画像生成手段と、
複数の静止画像を１つのファイルで扱うフォーマットのファイルを生成するファイル生成手段と、
前記生成された静止画像を前記ファイルに含めるように前記ファイル生成手段を制御する制御手段とを備えることを特徴とする画像ファイル生成装置。
【請求項２】
請求項１に記載の画像ファイル生成装置において、
前記複数の静止画像は連写撮影された画像であり、
前記音声信号は、前記連写撮影に関する音の情報であることを特徴とする画像ファイル生成装置。
【請求項３】
請求項１に記載の画像ファイル生成装置において、
前記作図手段は、時間と音量との関係を周波数別に表す図を生成することを特徴とする画像ファイル生成装置。
【請求項４】
請求項３に記載の画像ファイル生成装置において、
前記作図手段は、前記生成した図に基づいて前記音声信号を復元するために用いる分解能情報をさらに生成し、
前記制御手段は、前記分解能情報をメタデータとして前記ファイルに含めるように前記ファイル生成手段を制御することを特徴とする画像ファイル生成装置。
【請求項５】
画像ファイルに格納されている静止画像のうち音声情報を有する画像を検出する検出手段と、
前記検出画像から、時間と音量との関係を周波数別に表す情報を取得する音声情報取得手段と、
前記取得情報に基づいて音声信号を復元する音声信号復元手段とを備えることを特徴とする再生装置。
【請求項６】
請求項５に記載の再生装置において、
前記検出手段によって検出されなかった画像を表示装置に表示させる表示制御手段と、
前記復元された音声信号を用いて音響装置に再生させる再生制御手段とをさらに備えることを特徴とする再生装置。
【発明の詳細な説明】
【技術分野】
【０００１】
本発明は、画像ファイル生成装置およびその再生装置に関する。
【背景技術】
【０００２】
圧縮処理された音声データのファイル内に、圧縮処理された画像データを包含させた画像データ付き音声ファイルが知られている（特許文献１参照）。
【先行技術文献】
【特許文献】
【０００３】
【特許文献１】特許第３５５８５７７号公報
【発明の概要】
【発明が解決しようとする課題】
【０００４】
画像と異なるフォーマットの音声ファイルに画像や音声を含めても、静止画像のファイルとして扱えないという問題があった。
【課題を解決するための手段】
【０００５】
本発明による画像ファイル生成装置は、音声信号に対応させた図を生成する作図手段と、生成された図に基づいて静止画像を生成する画像生成手段と、複数の静止画像を１つのファイルで扱うフォーマットのファイルを生成するファイル生成手段と、生成された静止画像をファイルに含めるようにファイル生成手段を制御する制御手段とを備えることを特徴とする。
本発明による再生装置は、画像ファイルに格納されている静止画像のうち音声情報を有する画像を検出する検出手段と、検出画像から、時間と音量との関係を周波数別に表す情報を取得する音声情報取得手段と、取得情報に基づいて音声信号を復元する音声信号復元手段とを備えることを特徴とする。
【発明の効果】
【０００６】
本発明によれば、画像とフォーマットが異なる音声情報を静止画用の１つのファイルとして扱うことができる。
【図面の簡単な説明】
【０００７】
【図１】電子カメラの要部構成を説明するブロック図である。
【図２】デジタル音声データに基づく二次元情報を説明する図である。
【図３】音声情報画像を例示する図である。
【図４】ファイル構造を示す図である。
【図５】画像ファイル生成処理の流れを説明するフローチャートである。
【図６】画像ファイル再生処理の流れを説明するフローチャートである。
【図７】一覧表示を例示する図である。
【図８】スクロール後の一覧表示を例示する図である。
【図９】再生処理の流れを説明するフローチャートである。
【図１０】コンピュータ装置を例示する図である。
【発明を実施するための形態】
【０００８】
以下、図面を参照して本発明を実施するための形態について説明する。本発明の一実施の形態による電子カメラは、撮影モードと再生モードとが切替え可能に構成される。撮影モードは、被写体像を撮影し、撮影画像のデータをメモリカードなどで構成される記録媒体に画像ファイルとして記録する動作モードである。本実施形態では、撮影指示に応じて取得した画像に加えて、撮影指示の前後に取得した音声情報を画像として画像ファイルに含める。画像ファイルの生成・記録についての詳細は後述する。
【０００９】
再生モードは、指示された画像ファイルのデータを記録媒体から読出すなどして、該画像データによる再生画像をＬＣＤパネルに表示させるモードである。本実施形態では、音声情報も再生画像として表示可能である。
【００１０】
図１は、電子カメラ１の要部構成を説明するブロック図である。図１において、被写体像は撮影レンズ１０によって撮像素子１１の撮像面上に結像される。撮像素子１１は、ＣＣＤイメージセンサまたはＣＭＯＳイメージセンサなどによって構成される。撮像素子１１は、被写体像を光電変換してアナログ画像信号を生成する。
【００１１】
アナログ画像信号は画像処理回路１２へ入力される。画像処理回路１２は、相関二重サンプリングやゲイン調整などのアナログ処理を施す。アナログ処理後の画像信号は、Ａ／Ｄ変換回路（不図示）によってデジタル画像データに変換される。画像処理回路１２はさらに、デジタル画像データに対して所定の画像処理（色補間処理、階調変換処理、輪郭強調処理、ホワイトバランス調整処理など）を施す。画像処理後の画像データは、必要に応じて、圧縮／伸長回路１７によってJPEG圧縮処理されてＳＤＲＡＭ１６へ記録される。ＳＤＲＡＭ１６へは、画像処理前後や画像処理中のデータも一時的に記録される。
【００１２】
ＣＰＵ１５は、画像処理後の画像データをＳＤＲＡＭ１６から読み出し、撮影条件などの所定の付属情報(メタデータ)を含めることが可能な画像ファイルとして記録媒体４０に記録することにより、撮影処理を完了する。記録媒体４０は、電子カメラ１に対して着脱自在に構成される。ＣＰＵ１５は、メモリカードコントローラ１９を介して記録媒体４０に対するデータの記録、および記録媒体４０に記録されているデータの読み出しを行う。
【００１３】
ＣＰＵ１５は、再生モード時に記録媒体４０に記録されている画像ファイルを読み出し、必要に応じて、圧縮／伸長回路１７によって伸長処理させ、さらに画像処理回路１２に適切なサイズまで解像度変換を行わせてＳＤＲＡＭ１６へ一時記録させる。Displayコントローラ１３は、ＣＰＵ１５からの指示に応じてＳＤＲＡＭ１６から画像データを読み出し、該画像データに基づいて表示用のデータを生成する。電子カメラ１の背面に配設されているＬＣＤパネル１４は、表示用データによる再生画像を表示する。
【００１４】
ＣＰＵ１５は、撮影モード時にＬＣＤパネル１４をビューファインダーとして動作させる。圧縮処理をしていないデジタル画像データを用いて表示用のデータを生成することにより、被写体のモニタ用画像（スルー画像）をＬＣＤパネル１４に表示する。スルー画像は、撮影指示前に撮像素子１１によって所定の時間間隔（たとえば３０コマ／毎秒）で繰り返し取得されるモニタ用画像のことをいう。
【００１５】
ＵＳＢコントローラ１８は、外部機器（たとえば、ＰＣ）との間で所定の通信を行う。電子カメラ１は、ＵＳＢコントローラ１８を介して外部機器へ画像ファイルを転送する。画像ファイル転送として、画像ファイルの複製や画像ファイルの移動が可能である。
【００１６】
ＣＰＵ１５は、内蔵する不揮発性メモリ（不図示）に記憶するプログラムを実行することにより、電子カメラ１が行う動作を制御する。ＣＰＵ１５は、各ブロックから出力される信号を入力して所定の演算を行い、演算結果に基づく制御信号を各ブロックへ出力する。
【００１７】
操作部材２０は、不図示のレリーズボタンの押下操作に連動してオン／オフする半押しスイッチならびに全押しスイッチの他、メニュースイッチなどを含む。操作部材２０は、各操作に応じた操作信号をＣＰＵ１５へ送出する。
【００１８】
音声処理回路２１は、マイク２２で集音された音声信号を増幅し、増幅後の信号をＡ／Ｄ変換回路（不図示）によってデジタル音声データに変換する。音声処理回路２１はさらに、デジタル音声データに基づいて、図２に例示する折れ線グラフのような図を生成する。図２に例示したグラフは、横軸を時間軸、縦軸を信号レベル（音量）として表した二次元情報である。たとえば、２４kHzサンプリングレートで取得した１２bit長の音声データをそれぞれプロットする。音声処理回路２１は、上記二次元情報を音声周波数別に複数生成する。音声処理回路２１は、生成した二次元情報をＳＤＲＡＭ１６に格納する。
【００１９】
ＣＰＵ１５は、撮影モード時において画像とともに音声情報を記録する設定（録音設定）が行われている場合、上記ＳＤＲＡＭ１６内に格納されている二次元情報を所定時間分の情報ごとにまとめて１画面の画像に再構成する。図３は、音声情報をまとめた画像を例示する図である。図３において、たとえば、２００Hz〜２０ｋHｚまでの所定の音声周波数に対応する二次元情報が並べて画像化されている。ＣＰＵ１５は、音声情報の録音時間が１画面に記録できる時間を超えている場合、音声情報を複数の画面に分けて画像化する。ＣＰＵ１５が画像化した音声情報は、画像データとしてＳＤＲＡＭ１６に格納される。
【００２０】
ＣＰＵ１５は、二次元情報の縦軸および横軸についての分解能を示す情報と、該縦軸および横軸についての最大値ならびに最小値を示す情報とを、上記付属情報(メタデータ)として画像ファイルに含められるように一時記憶する。
【００２１】
本実施形態は、撮影モード時において、撮影した画像とともに音声情報を画像として記録する点に特徴を有するので、以下、このような画像ファイル生成処理を中心に説明を行う。
【００２２】
ＣＰＵ１５が生成して記録媒体４０へ記録する画像ファイルは、１ファイル内に複数の画像データを含めることが可能に構成される。このファイル構造は、図４に例示するように、画像の付属情報を記録するタグ領域３１と画像データを記録する画像データ領域３２とを有する。メタデータを画像に関連づけて保存する設定が行われている場合のＣＰＵ１５は、メタデータを記録する際に、ＳＤＲＡＭ１６の所定領域に保存されているメタデータを読み出し、読み出したメタデータを画像ファイルのタグ領域３１に記録する。
【００２３】
＜音声情報の取得＞
ＣＰＵ１５は、たとえば、ＬＣＤパネル１４に不図示の「操作メニュー画面」を表示させ、当該メニュー項目から「音声録音」項目を選択する操作信号が操作部材２０から入力された場合に、録音処理を行う。具体的には、撮影指示（レリーズボタンの押下操作）の前後にマイク２２で集音された音声情報を記録する。
【００２４】
＜画像ファイル生成処理＞
電子カメラ１のＣＰＵ１５は、操作部材２０からの操作信号によって撮影モードへの切替えが指示されると撮影モードに切り替え、図５に例示する画像ファイル生成処理を繰り返し実行する。図５は、ＣＰＵ１５が実行する処理の流れを説明するフローチャートである。
【００２５】
図５のステップＳ１において、ＣＰＵ１５は、撮像素子１１に対するスルー画用の駆動制御を開始させてステップＳ２へ進む。これにより、撮像素子１１がスルー画像データの取得を開始する。スルー画像は、撮影指示前に取得するモニタ用画像のことをいう。ＣＰＵ１５は、後述する半押しスイッチＳＷ１がオン操作されるまで、スルー画像の取得および該スルー画像のＬＣＤパネル１４への表示を繰り返すように構成されている。
【００２６】
ステップＳ２において、ＣＰＵ１５は半押しスイッチＳＷ１がオンされたか否かを判定する。半押しスイッチＳＷ１は、操作部材２０を構成し、レリーズボタン（不図示）の押下操作に連動してオン操作信号をＣＰＵ１５へ出力する。半押しスイッチＳＷ１からの半押し操作信号は、レリーズボタンが通常ストロークの半分程度まで押し下げ操作されると出力され、半ストロークの押し下げ操作解除で半押し操作信号出力が解除される。ＣＰＵ１５は、半押しスイッチＳＷ１から半押し操作信号が入力された場合にステップＳ２を肯定判定してステップＳ３へ進む。ＣＰＵ１５は、半押しスイッチＳＷ１から半押し操作信号が入力されない場合には、ステップＳ２を否定判定して当該判定処理を繰り返す。
【００２７】
ステップＳ３において、ＣＰＵ１５は音声処理回路２１へ指示を送り、上述したように音声蓄積を開始させてステップＳ４へ進む。具体的には、マイク２２で集音される音声信号に基づいて二次元情報を生成させて、生成した情報をＳＤＲＡＭ１６に格納させる。
【００２８】
ステップＳ４において、ＣＰＵ１５は所定のＡＦ（オートフォーカス）調節処理を行ってステップＳ５へ進む。ステップＳ５において、ＣＰＵ１５は、測光処理を行なってステップＳ６へ進む。測光処理は、撮像素子１１で取得された撮像信号に基づいて、シャッター秒時および絞り値を演算するものである。
【００２９】
ステップＳ６において、ＣＰＵ１５は全押しスイッチＳＷ２がオンされたか否かを判定する。全押しスイッチＳＷ２は、操作部材２０を構成し、レリーズボタン（不図示）の押下操作に連動してオン操作信号をＣＰＵ１５へ出力する。全押しスイッチＳＷ２からの全押し操作信号は、レリーズボタンが通常ストロークまで押し下げ操作されると出力され、通常ストロークの押し下げ操作が解除で全押し操作信号出力が解除される。ＣＰＵ１５は、全押しスイッチＳＷ２から全押し操作信号が入力された場合にステップＳ６を肯定判定してステップＳ７へ進む。ＣＰＵ１５は、全押しスイッチＳＷ２から全押し操作信号が入力されない場合には、ステップＳ６を否定判定してステップＳ１５へ進む。
【００３０】
ステップＳ１５において、ＣＰＵ１５は、半押しスイッチＳＷ１がオンされているか否かを判定する。ＣＰＵ１５は、半押しスイッチＳＷ１から継続して半押し操作信号が入力されている場合にステップＳ１５を肯定判定してステップＳ１６へ進む。ＣＰＵ１５は、半押しスイッチＳＷ１から半押し操作信号が入力されていない場合には、ステップＳ１５を否定判定して図５による処理を終了する。
【００３１】
ステップＳ１６において、ＣＰＵ１５はＡＦサーボ設定内容を判定する。ＣＰＵ１５は、ＡＦサーボとしてＡＦ−Ｃモードが設定されている場合にステップＳ１６を肯定判定してステップＳ４へ戻る。ＡＦ−Ｃモードは、ＡＦ調節処理を繰り返し行うモードである。一方ＣＰＵ１５は、ＡＦサーボとしてＡＦ−Ｓモードが設定されている場合にステップＳ１６を否定判定してステップＳ６へ戻る。ＡＦ−Ｓモードは、たとえばＡＦ調節処理を１回のみ行い、そのフォーカス調節状態を保持する（ＡＦロック）モードである。ＡＦサーボの選択は、ユーザによってあらかじめ設定操作部材２０の操作によって行われる。
【００３２】
上述したステップＳ６を肯定判定して進むステップＳ７において、ＣＰＵ１５は、撮像素子１１に対する撮影用の駆動制御を開始させてステップＳ８へ進む。ステップＳ８において、ＣＰＵ１５は、撮像素子１１の蓄積時間がシャッター秒時に対応する時間に達すると撮像素子１１に対する駆動制御を終了させてステップＳ９へ進む。
【００３３】
ステップＳ９において、ＣＰＵ１５は、全押しスイッチＳＷ２がオンされているか否かを判定する。ＣＰＵ１５は、全押しスイッチＳＷ２から継続して全押し操作信号が入力されている場合にステップＳ９を肯定判定してステップＳ７へ戻る。この場合は撮像動作を繰り返す（連写撮影）。ＣＰＵ１５は、全押しスイッチＳＷ２から全押し操作信号が入力されていない場合には、ステップＳ９を否定判定してステップＳ１０へ進む。
【００３４】
ステップＳ１０において、ＣＰＵ１５は、ＳＤＲＡＭ１６内に蓄積されているデジタル画像データが複数コマ分存在するか否かを判定する。ＣＰＵ１５は、複数コマ（フレーム）分のデータが存在する場合にステップＳ１０を肯定判定してステップＳ１１へ進む。ＣＰＵ１５は、複数コマ分のデータが存在しない場合には、ステップＳ１０を否定判定してステップＳ１４へ進む。
【００３５】
ステップＳ１１において、ＣＰＵ１５は、ＳＤＲＡＭ１６内に蓄積されている複数コマの画像データに対する所定の画像処理を行わせてステップＳ１２へ進む。画像処理回路１２は、ＳＤＲＡＭ１６に蓄積されている画像データに対し、それぞれ所定の画像処理（色補間処理、階調変換処理、輪郭強調処理、ホワイトバランス調整処理など）を施す。
【００３６】
画像処理後のステップＳ１２において、ＣＰＵ１５は音声処理回路２１へ指示を送り、音声蓄積を終了させてステップＳ１３へ進む。ステップＳ１３において、ＣＰＵ１５は、画像ファイルの生成、および該画像ファイルを記録媒体４０へ記録して図５による処理を終了する。連写撮影した場合のＣＰＵ１５は、図４に例示したように、連写撮影した複数フレームの画像とともに、図３に例示した音声情報画像を記録する。
【００３７】
ステップＳ１０を否定判定して進むステップＳ１４において、ＣＰＵ１５は、ＳＤＲＡＭ１６内に蓄積されている１コマ（フレーム）分の画像データに対する所定の画像処理を行わせてステップＳ１２へ進む。画像処理回路１２は、ＳＤＲＡＭ１６に蓄積されている画像データに対し、所定の画像処理（色補間処理、階調変換処理、輪郭強調処理、ホワイトバランス調整処理など）を施す。
【００３８】
単コマ撮影した場合のＣＰＵ１５は、単コマ（フレーム）の画像とともに、音声情報画像を記録する（ステップＳ１３）。
【００３９】
＜画像ファイル再生処理１＞
電子カメラ１のＣＰＵ１５は、操作部材２０からの操作信号によって再生モードへの切替えが指示されると再生モードに切り替え、図６に例示する画像ファイル再生処理を繰り返し実行する。図６は、ＣＰＵ１５が実行する処理の流れを説明するフローチャートである。
【００４０】
図６のステップＳ３０１において、ＣＰＵ１５は、記録媒体４０内に記録されている画像ファイルのうち、指示された画像ファイルから画像データを読み込んでステップＳ３０２へ進む。画像ファイルの指示を受けていない場合は、撮影日時が最も新しい画像ファイルから読み込む。ステップＳ３０２において、ＣＰＵ１５は、読み込んだ画像データに基づく再生画像をＬＣＤパネル１４に並べて表示（一覧表示）させてステップＳ３０３へ進む。
【００４１】
図７は、一覧表示を例示する図である。ＣＰＵ１５は、モニタ画面に一度に表示できない場合には表示スクロールによって表示させるようにする。図７において、ＣＰＵ１５は、表示画像の１つを囲むカーソル７１を表示させる。操作部材２０の矢印キー（不図示）が上下方向に押下操作された場合、ＣＰＵ１５はカーソル７１の表示位置を上下に移動させる。また、矢印キー（不図示）が左右方向に押下操作された場合、ＣＰＵ１５はカーソル７１の表示位置を左右に移動させる。
【００４２】
図８は、スクロール後の一覧表示を例示する図である。図８において２段目に表示した２つの画像は、図３に例示した音声情報画像である。ＣＰＵ１５は、撮影画像および音声情報画像を同様に扱って表示を行う。図８において、カーソル８１は音声情報画像を囲むことも可能である。
【００４３】
図６のステップＳ３０３において、ＣＰＵ１５は、１コマ（フレーム）表示すべき画像が指示されたか否かを判定する。ＣＰＵ１５は、操作部材２０からの操作信号によって画像の選択指示を受け付けると、ステップＳ３０３を肯定判定してステップＳ３０４へ進む。ＣＰＵ１５は、画像の選択指示を受け付けていない場合にはステップＳ３０３を否定判定し、当該判定処理を繰り返す。
【００４４】
ステップＳ３０４において、ＣＰＵ１５は、カーソル７１（またはカーソル８１）によって囲まれている画像をＬＣＤパネル１４の画面いっぱいに表示させて図６による処理を終了する。ＣＰＵ１５は、カーソル７１によって囲まれている撮影画像を表示する場合は、該当コマ（フレーム）の画像を画面に大きく表示させる。また、カーソル８１によって囲まれている音声情報画像を表示する場合は、図３に例示したように、該当する音声情報画像を大きく表示させる。ＣＰＵ１５は、図３と同様の画面を表示中に操作部材２０からの操作信号によって画像の選択指示を受け付けると、カーソル３１によって囲まれている２次元情報をＬＣＤパネル１４の画面いっぱいに表示させる（図２）。
【００４５】
＜画像ファイル再生処理２＞
電子カメラ１で生成された画像ファイルは、パーソナルコンピュータ２００で再生させてもよい。すなわち、図９による処理を行う再生プログラムを図１０に示すコンピュータ装置２００に実行させることにより、再生装置を構成する。再生処理プログラムをパーソナルコンピュータ２００に取込んで使用する場合には、パーソナルコンピュータ２００のデータストレージ装置にプログラムをローディングした上で、当該プログラムを実行させることによって再生装置として使用する。
【００４６】
パーソナルコンピュータ２００に対するプログラムのローディングは、プログラムを格納したＣＤ−ＲＯＭなどの記録媒体２０４をパーソナルコンピュータ２００にセットして行ってもよいし、ネットワークなどの通信回線２０１を経由する方法でパーソナルコンピュータ２００へローディングしてもよい。通信回線２０１を経由する場合は、通信回線２０１に接続されたサーバー（コンピュータ）２０２のハードディスク装置２０３などにプログラムを格納しておく。再生処理プログラムは、記録媒体２０４や通信回線２０１を介する提供など、種々の形態のコンピュータプログラム製品として供給することができる。
【００４７】
図９のステップＳ２０１において、パーソナルコンピュータ２００のＣＰＵは、データストレージ内に記録されている画像ファイルのうち、指示された画像ファイルから画像データを読み込んでステップＳ２０２へ進む。画像データが指示されない場合は、撮影日時が最も新しい画像ファイルから読み込む。ステップＳ２０２において、ＣＰＵは、読み込んだ画像の中に音声情報画像が含まれているか否かを判定する。ＣＰＵは、音声情報画像が含まれている場合にステップＳ２０２を肯定判定してステップＳ２０３へ進む。ＣＰＵは、音声情報画像が含まれていない場合にはステップＳ２０２を否定判定し、ステップＳ２０５へ進む。
【００４８】
ステップＳ２０３において、ＣＰＵは、音声再生が許可されているか否かを判定する。ＣＰＵは、たとえば、サウンドデバイス（不図示）の動作が許可されている場合にステップＳ２０３を肯定判定してステップＳ２０４へ進む。ＣＰＵは、サウンドデバイスの動作が許可されていない場合にはステップＳ２０３を否定判定し、ステップＳ２０５へ進む。
【００４９】
ステップＳ２０４において、ＣＰＵは、音声再生を開始させてステップＳ２０５へ進む。具体的には、音声情報画像に基づいて音声再生信号を復元し、この音声再生信号によってサウンドデバイス（不図示）を駆動する。つまり、画像ファイル生成時に電子カメラ１の音声処理回路２１が行った処理と逆の処理を行う。
【００５０】
ステップＳ２０５において、ＣＰＵは、読み込んだ画像データに基づく再生画像をモニタに並べて表示（一覧表示）させてステップＳ２０６へ進む。一覧表示は、図７および図８に例示した画面と同様に行う。ただし、ＣＰＵは、音声再生中の場合は音声情報画像をグレー表示にする。音声再生中でない場合には、音声情報画像を通常表示にする。
【００５１】
図９のステップ２０６において、ＣＰＵは、１コマ（フレーム）表示すべき画像が指示されたか否かを判定する。ＣＰＵは、キーボード（ポインティングデバイス）からの操作信号によって画像の選択指示を受け付けると、ステップＳ２０６を肯定判定してステップＳ２０７へ進む。ＣＰＵは、画像の選択指示を受け付けていない場合にはステップＳ２０６を否定判定し、当該判定処理を繰り返す。
【００５２】
ステップＳ２０７において、ＣＰＵは、カーソル７１（またはカーソル８１）によって囲まれている画像をモニタの画面いっぱいに表示させて図９による処理を終了する。ＣＰＵは、カーソル７１によって囲まれている撮影画像を表示する場合は、該当コマ（フレーム）の画像を画面に大きく表示させる。また、カーソル８１によって囲まれている音声情報画像を表示する場合は、図３に例示したように該当する音声情報画像を大きく表示させる。ＣＰＵは、図３と同様の画面を表示中にキーボード（ポインティングデバイス）からの操作信号によって画像の選択指示を受け付けると、カーソル３１によって囲まれている２次元情報をモニタの画面いっぱいに表示させる（図２）。
【００５３】
以上説明した実施形態によれば、次の作用効果が得られる。
（１）電子カメラ１のＣＰＵ１５は、音声信号に対応させた図を生成し、この図に基づいて静止画像を生成し、複数の静止画像を１つのファイルで扱うフォーマットのファイルに生成した静止画像を含めるようにした。これにより、本来は画像とフォーマットが異なる音声情報を静止画用の１つのファイルとして扱うことができるから、たとえば、静止画像以外の音声情報の有無を静止画専用のアプリケーションプログラムによって認識させることができる。
【００５４】
（２）複数の静止画像は連写撮影された画像であり、音声信号は、連写撮影に関する音の情報である。これにより、連写した一連の静止画像に音声情報を対応付けることができる。
【００５５】
（３）周波数別に時間と音量との関係を表す二次元情報を生成したので、音声情報を静止画像に加工しやすくなる。
【００５６】
（４）二次元情報に基づいて音声再生信号を復元するために用いる分解能情報をさらに生成し、分解能情報をメタデータとしてファイルに含めるように制御したので、２次元情報の生成時や二次元情報からの復元時における音質劣化を抑えるために有益な情報を画像ファイルに含めることができる。                                             
【００５７】
（５）画像ファイルに格納されている静止画像のうち音声情報を有する画像を検出し、この検出画像から、時間と音量との関係を周波数別に表す二次元情報を取得し、取得情報に基づいて音声信号を復元するようにした。これにより、画像ファイル内に画像として音声情報が含まれている場合には、当該音声情報に基づく音響再生が可能になる。
【００５８】
（６）電子カメラ１で生成した音声情報画像を含む画像ファイルは、画像ファイル再生処理２を実行するパーソナルコンピュータ２００（再生装置）によって該画像ファイル内に記録されている画像をモニタに再生表示させながら、パーソナルコンピュータ２００で音声情報画像に基づく音声再生が可能である。一方、上記画像ファイルを電子カメラ１で再生させる場合は、該画像ファイル内に記録されている画像をＬＣＤパネル１４に再生表示させるとともに、音声情報画像を画像としてＬＣＤパネル１４に表示させる。本実施形態の電子カメラ１のように、音響再生機能を備えていない機器の場合は、音声情報画像に基づいて音声再生できなくても、当該音声情報画像の表示によって音声情報の存在を知らせることができる。
【００５９】
（変形例１）
以上の説明では、音声情報を画像化して画像ファイルに含める例を説明したが、音声情報に加えて、ＧＰＳ衛星からの電波を受信して取得した位置の時間変化を示す情報、無線ＬＡＮアクセスポイントからの電波を受信して得た位置の時間変化を示す情報、温度の時間変化を示す情報、湿度や気圧のそれぞれの時間変化を示す情報などを、同様に画像化して画像ファイルに含めてもよい。
【００６０】
（変形例２）
音声情報に加えて、記述情報を画像化して画像ファイルに含めてもよい。たとえば、画像ファイル内に含まれる複数の画像に対して画像処理するためのプログラム（プログラムに必要なパラメータを含めてもよい）を記述したテキスト画面を画像化し、当該画像ファイルに含める。
【００６１】
以上の説明はあくまで一例であり、上記の実施形態の構成に何ら限定されるものではない。
【符号の説明】
【００６２】
１…電子カメラ
１１…撮像素子
１２…画像処理回路
１４…ＬＣＤパネル
１５…ＣＰＵ
１６…ＳＤＲＡＭ
２０…操作部材
２１…音声処理回路
２２…マイク
４０…記録媒体
２００…パーソナルコンピュータ
【図１】
2010252148.tif 000003
【図２】
2010252148.tif 000004
【図３】
2010252148.tif 000005
【図４】
2010252148.tif 000006
【図５】
2010252148.tif 000007
【図６】
2010252148.tif 000008
【図７】
2010252148.tif 000009
【図８】
2010252148.tif 000010
【図９】
2010252148.tif 000011
【図１０】
2010252148.tif 000012